(57)【要約】【課題】組合効率が向上するカード用コネクタ装置を提供する。【解決手段】本発明のカードコネクタ装置は配線基板と、前記配線基板に実装されたカード用コネクタとを含むカード用コネクタ装置において、前記カード用コネクタは、カードを収容するための収容空間と、前記収容空間に突出し、前記収容空間に挿入したカードに接続するための導電端子とを含み、前記配線基板に異なるカード用コネクタに対応するための多種の導電線路が前もって配置され、前記カード用コネクタは前記配線基板に実装され、前記導電端子が前記配線基板の一つの導電線路に対応することを特徴とする。【選択図】図３
2009200035.tif 000002
【特許請求の範囲】
【請求項１】
配線基板と、
前記配線基板に実装されたカード用コネクタと、
を含むカード用コネクタ装置において、
前記カード用コネクタは、カードを収容するための収容空間と、前記収容空間に突出し、前記収容空間に挿入したカードに接続するための導電端子とを含み、
前記配線基板に異なるカード用コネクタに対応するための多種の導電線路が前もって配置され、前記カード用コネクタは前記配線基板に実装され、前記導電端子が前記配線基板の一つの導電線路に対応することを特徴とするカード用コネクタ装置。
【請求項２】
前記カード用コネクタ装置は、前記配線基板に配置され、前記カード用コネクタに電気的に接続するための中継部材を含むことを特徴とする、請求項１に記載のカード用コネクタ装置。
【請求項３】
前記カード用コネクタは、前記導電端子を装着される絶縁本体を有し、絶縁本体のそこ面が配線基板に貼り付けられるように配置されることを特徴とする、請求項２に記載のカード用コネクタ装置。
【請求項４】
前記カード用コネクタ装置は、電子設備のマザー基板に配置され、マザー基板には前記中継部材に接続するための接続部材が配置されることを特徴とする、請求項３に記載のカード用コネクタ装置。
【請求項５】
前記配線基板は、上下壁を有し、前記上下壁にはカード用コネクタがそれぞれ実装されることを特徴とする、請求項１乃至請求項４の何れかの一つの項に記載のカード用コネクタ装置。
【請求項６】
前記配線基板の上壁に実装される第１カード用コネクタは、配線基板の下壁に実装される第２カード用コネクタより長く、中継部材は配線基板の下壁に実装し、第２カード用コネクタの後端に配置されることを特徴とする、請求項５に記載のカード用コネクタ装置。
【発明の詳細な説明】
【技術分野】
【０００１】
本発明は、カード用コネクタ装置に関し、特に配線基板に接続するためのカード用コネクタ装置に関するものである。
【背景技術】
【０００２】
優れた拡展効果によるカードが普通に使用されることに従って、カードと電子設備との間の信号を伝送するためのカード用コネクタが普通に使用され、いま、電子設備に色々なカード用コネクタに実装され、普通に、多数のカード用コネクタが順に配線基板に配置され、一つのカード用コネクタが配線基板に実装されてから、他のカード用コネクタを実装するために電子設備メーカーは配線基板に他のカード用コネクタに対応する導電線路を増加しなければならない。
【発明の開示】
【発明が解決しようとする課題】
【０００３】
しかしながら、従来のカード用コネクタ装置が電子設備にそれぞれ配線基板に実装されるので、組合過程が複雑になり、効率が低減する恐れがあった。そこで、上記欠点に鑑みて、新型のカード用コネクタ装置を開発することが必要である。
【０００４】
本発明は、組合効率が向上するカード用コネクタ装置を提供することを目的とする。
【課題を解決するための手段】
【０００５】
前記目的を達成するために、本発明のカードコネクタ装置は配線基板と、前記配線基板に実装されたカード用コネクタとを含むカード用コネクタ装置において、前記カード用コネクタは、カードを収容するための収容空間と、前記収容空間に突出し、前記収容空間に挿入したカードに接続するための導電端子とを含み、前記配線基板に異なるカード用コネクタに対応するための多種の導電線路が前もって配置され、前記カード用コネクタは前記配線基板に実装され、前記導電端子が前記配線基板の一つの導電線路に対応することを特徴とする。
【発明の効果】
【０００６】
従来の技術に比べると、本発明のカード用コネクタ装置は以下の効果を奏する。配線基板に異なるカード用コネクタに対応する多種の導電線路が前もって配置されるので、取引先がカード用コネクタを選択実装する際に、配線基板の線路を再び設計しないので組合効率が向上する。
【発明を実施するための最良の形態】
【０００７】
図１〜図５に基づいて、本発明のカード用コネクタ装置１００について説明する。カード用コネクタ１００は配線基板５と、配線基板５の上下壁にそれぞれ配置される第１コネクタ（参照記号なし）及び第２コネクタ（参照記号なし）、配線基板５に実装される中継部材６と、カード用コネクタ装置１００が配線基板５に保持される保持部材７，７’と、第１コネクタと第２コネクタとの先端が保持されるための位置決め部材８とを含む。
【０００８】
図１と図２を参照すると、第１コネクタは第１カード（例えばEXPRESS  CARDであり、図示せず）を収容し、Ｌ字形状を呈する第１シェル１１と、第１絶縁本体１３と、第１絶縁本体１３に装着される第１導電端子１４と、第１カードを第１コネクタからイジェクトするための第１イジェクト機構１２と、第１カードをガイドするためのガイド部材１５とを含み、前記第１シェル１１は幅狭い後端と幅広い先端とを有し、前記第１絶縁本体１３が第１シェル１１の後端に配置され、前記絶縁本体１３と第１シェル１１が第１カードを収容するための第１収容空間１０が形成される。前記第１絶縁本体１３が長手状の基部１３０と、基部１３０の両端からそれぞれ延出するように形成される延出アーム１３１と、一対の延出アーム１３１の間に舌片１３２とを含み、前記第１導電端子１４は前記基部１３０に貫通するように舌片１３２に収容され、その先端が前記第１収容空間１０に突出している。前記基部１３０の後端の両側にはネジ部材１１２を保持するためのネジ孔１１３を形成する。
【０００９】
前記第１シェル１１は、主体部１１０と、主体部１１０の両側から下向きに延出する側壁１１１とを有し、主体部１１０の後端には前記絶縁本体１３のネジ孔に対応するためのネジ孔１１３が配置される。前記ガイド部材１５は三角形状を呈し、第１収容空間１０の一方の側に配置され、幅が異なるカードをガイドすることに用いられる。イジェクト機構１２は、第１シェル１１のガイド部材１５に隣接する一方の側に配置され、イジェクト機構１２の工作原理が従来技術と同じであるので、ここで詳細に説明しない。前記第１コネクタの絶縁本体１３は配線基板５の上壁に貼り付けるように配置される。
【００１０】
図１乃至図３を参照すると、第２コネクタは、第二カード（例えばSmart  CARDであり、図示せず）を収容し、第２シェル２１と、端子モジュール２２と、絶縁ベース２４とを有し、端子モジュール２２が絶縁ベース２４を介し配線基板５の下壁に配置され、前記絶縁ベース２４と第２シェル２１とが第二カードを収容するための第２収容空間２０を形成し、端子モジュール２２がカードの挿入方向で第２導電端子２３が並べられ、第２導電端子２３が第２収容空間２０に突出している。
【００１１】
中継部材６は、長手状を呈し、第２絶縁ベース２４の後端に位置するように配線基板５の下壁に配置され、挿入溝６１と配線基板５に半田付けられる中継端子６０とを有する。
【００１２】
使用する際に、カード用コネクタ装置１００が中継部材６を介してマザー基板３に接続し、マザー基板３に前記中継部材６に対応し接続する接続部材４を有し、接続部材４は挿入本体４０と挿入本体４０に装着されるようにマザー基板３に半田付けられる端子４１と、を有する。第１コネクタと第２コネクタは、前記位置決め部材８により保持される。
【００１３】
取付時に、第１コネクタが配線基板５の上壁に実装され、第２コネクタが配線基板５の下壁に実装されている。この時、第２コネクタの絶縁ベース２４が前記配線基板５と同一平面に位置することによって、第二カードの挿入が便利になっている。第２コネクタが第１コネクタより短く、中継部材６が第２コネクタの後端に位置することによって、第１コネクタが中継部材６の下部に部分的に位置するので、配線基板５の強さが増加する。こてによって、カード用コネクタ装置１００がマザー基板３に接続する際に、押圧力が大き過ぎても、配線基板５の破裂が防止できる。次に、第１コネクタを下向きに押すと、中継部材６と接続部材４に接続し、中継端子６０と接続部４の端子材４１に電気的に接続している。最後に、固持部材３０がマザー基板３と保持部材７，７’の保持孔（参照記号なし）を順に貫通することによりカード用コネクタ装置１００の先端に保持され、固持部材３０がマザー基板３とカード用コネクタ装置１００のネジ孔を順に貫通することにより、カード用コネクタ装置１００の後端が保持される。
【００１４】
本発明に係るカード用コネクタ装置１００の配線基板５には、第１コネクタと第２コネクタとにそれぞれ対応する多種の導電線路が前もって配置され、取引先の要求によって配線基板５には第１コネクタまたは第２コネクタが選択的に実装され、配線線路を再び設計しない。これによって、組合過程が簡単になり、多次の線路設計を避けることができる。また、製造メーカーが配線基板に導電線路を前もって設計し、中継部材６と第１コネクタと第２コネクタとが配線基板６に配置されるとともに、同時にテストすることによって、取引先がカード用コネクタ装置１００が電子設備のマザー基板３に配置される際に、中継部材６とマザー基板３の接続部材４に接続するだけで、カード用コネクタ装置１００と電子設備との間の信号伝送を達成できる。これによって、テスト過程が簡単になるとともに組合効率が向上になる。
【００１５】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００１６】
【図１】本発明に係るカード用コネクタ装置の分解斜視図である。
【図２】図１に示すカード用コネクタ装置の他の角度から見た分解斜視図である。
【図３】本発明に係るカード用コネクタ装置とマザー基板との斜視図である。
【図４】図３に示すカード用コネクタ装置とマザー基板との他の角度から見た斜視図である。
【図５】本発明に係るカード用コネクタ装置がマザー基板に配置された組立斜視図である。
【符号の説明】
【００１７】
１００  カード用コネクタ装置
３  マザー基板
４  接続部材
５  配線基板
６  中継部材
７，７’  保持部材
８  位置決め部材
１０  第１収容空間
２０  第２収容空間
１１  第１シェル
１２  第１イジェクト機構
１３  第１絶縁本体
１４  第１導電端子
１５  ガイド部材
２１  第２シェル
２２  端子モジュール
２３  第２導電端子
２４  絶縁ベース
３０  保持部材
４０  挿入本体
４１  端子
６０  中継端子
６１  挿入溝
１１０  主体部
１１１  側壁
１１２  ネジ部材
１１３  ネジ孔
１３０  基部
１３１  延出アーム
１３２  舌片
【図１】
2009200035.tif 000003
【図２】
2009200035.tif 000004
【図３】
2009200035.tif 000005
【図４】
2009200035.tif 000006
【図５】
2009200035.tif 000007